【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
第１電流供給部から、発光素子との第１接続部への電気経路に配された第１ドライバと、
第２電流供給部から前記第１接続部への電気経路に配された第２ドライバと、
前記第２電流供給部から、発光素子との第２接続部への電気経路に配された第３ドライバと、
前記第２電流供給部を前記第２ドライバおよび前記第３ドライバの一方に選択的に接続し、かつ、前記第２電流供給部が前記一方と接続されているときに前記第２電流供給部と前記第２ドライバおよび前記第３ドライバの他方との接続を遮断するように構成されたスイッチ部と、を備える
ことを特徴とする記録装置用のドライブ回路。
【請求項２】
前記スイッチ部が前記第２電流供給部を前記第２ドライバに接続しているときに、前記第２電流供給部は、供給する電流の電流値を感光ドラムの積算の回転数に基づいて調整する
ことを特徴とする請求項１に記載の記録装置用のドライブ回路。
【請求項３】
前記スイッチ部が前記第２電流供給部を前記第２ドライバに接続しているときに、前記第１ドライバおよび前記第２ドライバは、前記第１電流供給部からの電流と前記第２電流供給部からの電流とを加算して前記第１接続部へ供給する第１の動作と、前記第１電流供給部からの電流を前記第１接続部へ供給せずに、前記第２電流供給部からの電流を前記第１接続部へ供給する第２の動作とを、記録データに基づいて選択的に行う
ことを特徴とする請求項１または請求項２に記載の記録装置用のドライブ回路。
【請求項４】
前記スイッチ部が前記第２電流供給部を前記第３ドライバに接続しているときに、前記第２電流供給部は感光ドラムの導電性を変化させるための電流を供給する
ことを特徴とする請求項１に記載の記録装置用のドライブ回路。
【請求項５】
前記第１電流供給部は、感光ドラムの導電性を変化させるための電流を供給する
ことを特徴とする請求項１から請求項４のいずれか１項に記載の記録装置用のドライブ回路。
【請求項６】
受光部を含むモニタ部であって、前記第１電流供給部および前記第２電流供給部の少なくとも一方に前記受光部からの信号を入力するモニタ部をさらに備え、
前記第１電流供給部および前記第２電流供給部の前記少なくとも一方は、供給する電流の電流値を、前記受光部からの信号に基づいて調整する
ことを特徴とする請求項１から請求項５のいずれか１項に記載の記録装置用のドライブ回路。
【請求項７】
第１電流供給部から、発光素子との第１接続部への電気経路に配された第１ドライバと、
第２電流供給部から前記第１接続部への電気経路に配された第２ドライバと、
第３電流供給部から、発光素子との第２接続部への電気経路に配された第３ドライバと、
前記第２電流供給部および前記第３電流供給部の一方を選択的に活性化し、かつ、前記一方が活性化されたときに前記第２電流供給部および前記第３電流供給部の他方を非活性化するように構成された制御部と、を備える
ことを特徴とする記録装置用のドライブ回路。
【請求項８】
前記制御部が前記第２電流供給部を活性化しているときに、前記第２電流供給部は、供給する電流の電流値を感光ドラムの積算の回転数に基づいて調整する
ことを特徴とする請求項７に記載の記録装置用のドライブ回路。
【請求項９】
前記制御部が前記第２電流供給部を活性化しているときに、前記第１ドライバおよび前記第２ドライバは、前記第１電流供給部からの電流と前記第２電流供給部からの電流とを加算して前記第１接続部へ供給する第１の動作と、前記第１電流供給部からの電流を前記第１接続部へ供給せずに、前記第２電流供給部からの電流を前記第１接続部へ供給する第２の動作とを、記録データに基づいて選択的に行う
ことを特徴とする請求項７または請求項８に記載の記録装置用のドライブ回路。
【請求項１０】
前記制御部が前記第３電流供給部を活性化しているときに、前記第３電流供給部は感光ドラムの導電性を変化させるための電流を供給する
ことを特徴とする請求項７に記載の記録装置用のドライブ回路。
【請求項１１】
前記第１電流供給部は、感光ドラムの導電性を変化させるための電流を供給する
ことを特徴とする請求項７から請求項１０のいずれか１項に記載の記録装置用のドライブ回路。
【請求項１２】
受光部を含むモニタ部であって、前記第１電流供給部、前記第２電流供給部および前記第３電流供給部の少なくとも１つに前記受光部からの信号を入力するモニタ部を備え、
前記第１電流供給部、前記第２電流供給部および前記第３電流供給部の前記少なくとも１つは、供給する電流の電流値を、前記受光部からの信号に基づいて調整する
ことを特徴とする請求項７から請求項１１のいずれか１項に記載の記録装置用のドライブ回路。
【請求項１３】
電圧を生成し、該生成された電圧を前記第１電流供給部に出力する第１電圧生成部と、
電圧を生成し、該生成された電圧を前記第２電流供給部および前記第３電流供給部の双方に出力する第２電圧生成部と、をさらに備える
ことを特徴とする請求項７から請求項１２のいずれか１項に記載の記録装置用のドライブ回路。
【請求項１４】
電子写真方式の記録装置であって、
感光ドラムに光を照射するための第１発光素子と、
前記感光ドラムに光を照射するための第２発光素子と、
前記第１発光素子に電流を供給するための第１電流供給部と、
前記第１発光素子および前記第２発光素子の少なくとも一方に電流を供給するための第２電流供給部と、
前記第１発光素子と前記第１電流供給部との間の電気経路に配された第１ドライバと、
前記第１発光素子と前記第２電流供給部との間の電気経路に配された第２ドライバと、
前記第２発光素子と前記第２電流供給部との間の電気経路に配された第３ドライバと、
前記第２電流供給部を前記第２ドライバおよび前記第３ドライバの一方に選択的に接続し、かつ、前記第２電流供給部が前記一方と接続されているときに前記第２電流供給部と前記第２ドライバおよび前記第３ドライバの他方との接続を遮断するように構成されたスイッチ部と、を備える
ことを特徴とする記録装置。
【請求項１５】
制御部を備え、
前記制御部は、
第１モードでは、前記スイッチ部により前記第２電流供給部と前記第２ドライバとを接続し且つ前記第２電流供給部と前記第３ドライバとを切断したときに、記録データに基づいて前記第１ドライバおよび前記第２ドライバを制御して前記第１電流供給部からの電流と前記第２電流供給部からの電流とを加算した電流および前記第２電流供給部からの電流を選択的に前記第１発光素子に供給し、
第２モードでは、前記スイッチ部により前記第２電流供給部と前記第２ドライバとを切断し且つ前記第２電流供給部と前記第３ドライバとを接続したときに、記録データに基づいて前記第１ドライバおよび前記第３ドライバを制御して前記第１電流供給部からの電流および前記第２電流供給部からの電流を前記第１発光素子および前記第２発光素子にそれぞれ供給する
ことを特徴とする請求項１４に記載の記録装置。
【請求項１６】
前記第１発光素子および前記第２発光素子の発光光量をモニタするためのモニタ部をさらに備えており、
前記制御部は、
前記第１モードでは、記録開始前に、前記モニタ部によるモニタ結果に基づいて前記第１電流供給部の電流の電流値を調整して該電流値を第１電流値として設定し、且つ、前記モニタ部によるモニタ結果に基づいて前記第２電流供給部の電流の電流値を調整して該電流値を第２電流値として設定し、
前記第２モードでは、記録開始前に、前記第１電流供給部および前記第２電流供給部の双方の電流の電流値を前記第１電流値に設定する
ことを特徴とする請求項１５に記載の記録装置。
【請求項１７】
前記第１電流供給部は、前記制御部が前記第１モードまたは前記第２モードのときには、前記第１電流値の電流を記録データに基づいて前記第１発光素子に供給し、
前記第２電流供給部は、前記制御部が前記第１モードのときには、前記第２電流値の電流を記録データに基づいて前記第１発光素子に供給し、前記制御部が前記第２モードのときには、前記第１電流値の電流を記録データに基づいて前記第２発光素子に供給する
ことを特徴とする請求項１６に記載の記録装置。
【請求項１８】
前記制御部は、さらに前記感光ドラムの劣化の程度に基づいて、前記第１モードでは前記第１電流値および前記第２電流値を設定し、前記第２モードでは前記第１電流値を設定する
ことを特徴とする請求項１６または請求項１７に記載の記録装置。
【請求項１９】
前記制御部が前記第１モードの場合、前記第１発光素子は、前記感光ドラムのうちトナーを付着させる部分に対して前記第１電流値と前記第２電流値とを加算した量に応じた光量で照射し、前記感光ドラムのうちトナーを付着させない部分に対して前記第２電流値に応じた光量で照射し、
前記制御部が前記第２モードの場合、前記第１発光素子および前記第２発光素子は、前記感光ドラムのうちトナーを付着させる部分に対して前記第１電流値に応じた光量で照射し、前記感光ドラムのうちトナーを付着させない部分に対して光を照射しない
ことを特徴とする請求項１６から請求項１８のいずれか１項に記載の記録装置。
【請求項２０】
前記制御部は、前記感光ドラムに対するある一走査の光の照射が完了した後かつ次の一走査の光の照射を開始する前に、前記第１モードでは前記第１電流値および前記第２電流値を設定し、前記第２モードでは前記第１電流値を設定する
ことを特徴とする請求項１６から請求項１９のいずれか１項に記載の記録装置。
【請求項２１】
前記第１電流供給部および前記第２電流供給部のそれぞれは、
前記制御部から受けた前記感光ドラムの劣化の程度に基づく信号と前記モニタ部によるモニタ結果とを比較する比較部と、
前記比較部による比較結果を保持する保持部と、
前記保持部の保持情報に基づく量の電流を出力する電流出力部と、
を含む
ことを特徴とする請求項１６から請求項２０のいずれか１項に記載の記録装置。
【請求項２２】
前記感光ドラムの回転数を計測するカウンタをさらに備え、
前記感光ドラムの劣化の程度に基づく信号は、前記カウンタにより計測された前記感光ドラムの回転数にしたがう
ことを特徴とする請求項２１に記載の記録装置。
【請求項２３】
電子写真方式の記録装置であって、
感光ドラムに光を照射するための第１発光素子と、
前記感光ドラムに光を照射するための第２発光素子と、
前記第１発光素子に電流を供給するための第１電流供給部と、
前記第２発光素子に電流を供給するための第２電流供給部と、
前記第１発光素子に電流を供給するための第３電流供給部であって前記第１電流供給部とは異なる第３電流供給部と、
前記第１発光素子と前記第１電流供給部との間の経路に配された第１ドライバと、
前記第２発光素子と前記第２電流供給部との間の経路に配された第２ドライバと、
前記第１発光素子と前記第３電流供給部との間の経路に配された第３ドライバと、
前記第２電流供給部および前記第３電流供給部の一方を選択的に活性化し、かつ、前記一方が活性化されたときに前記第２電流供給部および前記第３電流供給部の他方を非活性化するように構成された制御部と、を備える
ことを特徴とする記録装置。
【請求項２４】
前記制御部は、
第１モードでは、前記第３電流供給部を活性モードにし且つ前記第２電流供給部を非活性モードにしたときに、記録データに基づいて前記第１ドライバおよび前記第２ドライバを制御して前記第１電流供給部からの電流と前記第３電流供給部からの電流とを加算した電流および前記第３電流供給部からの電流を選択的に前記第１発光素子に供給し、
第２モードでは、前記第２電流供給部を活性モードにし且つ前記第３電流供給部を非活性モードにしたときに、記録データに基づいて前記第１ドライバおよび前記第３ドライバを制御して前記第１電流供給部からの電流および前記第２電流供給部からの電流を前記第１発光素子および前記第２発光素子にそれぞれ供給する
ことを特徴とする請求項２３に記載の記録装置。
【請求項２５】
電圧を生成し、該生成された電圧を前記第１電流供給部に出力する第１電圧生成部と、
電圧を生成し、該生成された電圧を前記第２電流供給部および前記第３電流供給部の双方に出力する第２電圧生成部と、をさらに備える
ことを特徴とする請求項２３または請求項２４に記載の記録装置。
【手続補正２】
【補正対象書類名】明細書
【補正対象項目名】０００８
【補正方法】変更
【補正の内容】
【０００８】
本発明の一つの側面は記録装置用のドライブ回路にかかり、前記ドライブ回路は、第１電流供給部から、発光素子との第１接続部への電気経路に配された第１ドライバと、第２電流供給部から前記第１接続部への電気経路に配された第２ドライバと、前記第２電流供給部から、発光素子との第２接続部への電気経路に配された第３ドライバと、前記第２電流供給部を前記第２ドライバおよび前記第３ドライバの一方に選択的に接続し、かつ、前記第２電流供給部が前記一方と接続されているときに前記第２電流供給部と前記第２ドライバおよび前記第３ドライバの他方との接続を遮断するように構成されたスイッチ部と、を備えることを特徴とする。